(57)【要約】【課題】  定着後の収縮した記録紙であっても、トナー像領域に適切に光沢付与ができる画像形成装置を提供すること。【解決手段】  画像形成装置１００は、中間転写ベルト８から転写された記録紙上のトナー像を加熱する定着器１６と、定着器１６により加熱された記録紙の任意の領域に光沢を付与するサーマルヘッド２０１と、光沢付与領域を設定する操作部５０５とを有する。ＣＰＵ５０２は、光沢付与領域が、記録紙Ｐ上のトナー像領域よりも所定量外側まで存在しない場合は、記録紙上のトナー像領域よりも所定量外側まで光沢付与領域を拡大するよう補正する。【選択図】  図２
2011123436.tif 000002
【特許請求の範囲】
【請求項１】
記録紙を給紙する給紙手段と、
前記給紙手段により給紙された記録紙にトナー像を転写する転写手段と、
前記転写手段により記録紙に転写されたトナー像を加熱する定着手段と、
前記定着手段により加熱された記録紙の任意の領域に光沢を付与する光沢付与手段と、
前記光沢付与手段により光沢を付与される記録紙上の光沢付与領域を設定する設定手段と、
前記設定手段で設定される前記光沢付与領域が、記録紙上のトナー像領域よりも所定量外側まで存在しない場合は、記録紙上のトナー像領域よりも前記所定量外側まで前記光沢付与領域を拡大するよう補正する補正手段と、
を有することを特徴とする画像形成装置。
【請求項２】
前記設定手段は、前記光沢付与領域に加えて、前記光沢付与手段により光沢を付与しない非光沢付与領域についても設定することを特徴とする請求項１記載の画像形成装置。
【請求項３】
前記補正手段は、前記光沢付与領域と前記非光沢付与領域との間の距離が前記所定量に満たない場合は、前記光沢付与領域における前記非光沢付与領域に隣接しない側の端部については、記録紙上のトナー像領域よりも前記所定量外側まで前記光沢付与領域を拡大するよう補正し、前記光沢付与領域における前記非光沢付与領域に隣接する側の端部については、前記光沢付与領域を拡大する補正を行わないことを特徴とする請求項２記載の画像形成装置。
【請求項４】
前記設定手段は、前記光沢付与領域に加えて、前記光沢付与領域を拡大させない部分についても設定することを特徴とする請求項１記載の画像形成装置。
【請求項５】
前記光沢付与手段は、記録紙の搬送方向に直交する幅方向に長手となるよう設けられたサーマルヘッドであり、前記補正手段により補正された前記光沢付与領域に応じて、記録紙上のトナー像を加熱することにより光沢を付与することを特徴とする請求項１記載の画像形成装置。
【請求項６】
前記光沢付与手段は、記録紙の任意の領域に透明トナー画像を形成する手段であり、前記補正手段により補正された前記光沢付与領域に応じて、透明トナー画像を形成する領域を補正することを特徴とする請求項１記載の画像形成装置。
【発明の詳細な説明】
【技術分野】
【０００１】
本発明は、複写機、プリンタ等の画像形成装置に関し、特に、記録紙に形成された画像に光沢を付与する画像形成装置に関する。
【背景技術】
【０００２】
従来の画像形成装置として、例えば、第１の定着器の後段に第２の定着器を設け、第１の定着器を通過した記録紙を第２の定着器で再加熱することにより、光沢を付与する方式が提案されている（例えば、特許文献１参照）。
【０００３】
しかしながら、この方式では、記録紙の全面に光沢を付与することが可能であるが、領域を限定して光沢を付与することができなかった。また、光沢を付与することを必要としない部分にまで熱を加えるので、消費電力が増大するという問題があった。
【０００４】
そこで、第１の定着器の後工程に第２の定着器としてのサーマルヘッドを用いて任意の領域を再加熱することにより、画像が形成されている領域に限定して光沢を付与する方式が用いられている（例えば、特許文献２参照）。
【先行技術文献】
【特許文献】
【０００５】
【特許文献１】特開昭６３−１９２０６８号公報
【特許文献２】特開２００７−５２１７５号公報、段落［００８０］
【発明の概要】
【発明が解決しようとする課題】
【０００６】
しかしながら、特許文献１記載の発明では、サーマルヘッドを使用して記録紙の任意の領域を再加熱して光沢を付与するよりも前に、第１の定着器からの加熱により記録紙に含有されていた水分が蒸発する。水分の蒸発により、定着後は記録紙が収縮し、その寸法に変化が生じる。
【０００７】
この収縮率は、記録紙の種類や厚みにより異なるが、普通紙の場合、長手方向及び幅方向の長さは、ともに０．１〜０．５％程度収縮する。例えば、Ａ３サイズの普通紙の場合、サイズが２９７ｍｍ×４２０ｍｍであるため、収縮率が最大の０．５％とすると、幅方向で約１．５ｍｍ、長手方向で２．１ｍｍ収縮することになる。解像度が６００ｄｐｉの場合、例えば２．１ｍｍの収縮は、４画素程度の収縮量になる。
【０００８】
つまり、サーマルヘッドで再加熱する際に、定着前の記録紙のサイズに基づいてサーマルヘッドの各抵抗に供給する電力パターンを決定してしまうと、記録紙が収縮した分だけ光沢を付与する領域がずれてしまう。そして、文字のエッジ部や画像領域の端部などに光沢ムラが生じてしまうという問題が発生する。
【０００９】
そこで、本発明の目的は、定着後の収縮した記録紙であっても、トナー像領域に適切に光沢付与ができる画像形成装置を提供することにある。
【課題を解決するための手段】
【００１０】
上記目的を達成するため、本発明に係る画像形成装置は、記録紙を給紙する給紙手段と、前記給紙手段により給紙された記録紙にトナー像を転写する転写手段と、前記転写手段により記録紙に転写されたトナー像を加熱する定着手段と、前記定着手段により加熱された記録紙の任意の領域に光沢を付与する光沢付与手段と、前記光沢付与手段により光沢を付与される記録紙上の光沢付与領域を設定する設定手段と、前記設定手段で設定される前記光沢付与領域が、記録紙上のトナー像領域よりも所定量外側まで存在しない場合は、記録紙上のトナー像領域よりも前記所定量外側まで前記光沢付与領域を拡大するよう補正する補正手段と、を有することを特徴とする。
【発明の効果】
【００１１】
本発明の画像形成装置によれば、定着後の収縮した記録紙であっても、トナー像領域に適切に光沢付与ができる。
【図面の簡単な説明】
【００１２】
【図１】画像形成装置１００の断面図である。
【図２】光沢付与装置５５の断面図である。
【図３】サーマルヘッド２０１のヘッド配置図である。
【図４】サーマルヘッド２０１の電気構成を示すブロック図である。
【図５】画像形成装置１００及び光沢付与装置５５の制御ブロック図である。
【図６】光沢付与領域設定画面を示す図である。
【図７】光沢付与領域とサーマルヘッドの駆動パターンとの関係を示す図である。
【図８】記録紙Ｐへの光沢付与動作を示すフローチャートである。
【図９】非光沢付与領域設定画面を示す図である。
【図１０】光沢を付与するトナー像領域と光沢を付与しないトナー像領域とが隣接している場合のサーマルヘッド２０１の駆動パターンを示す図である。
【図１１】光沢付与領域を拡大するかどうかの設定画面を示す図である。
【発明を実施するための形態】
【００１３】
（第１の実施形態）
図１は、画像形成装置１００の断面図である。
【００１４】
画像形成装置１００は、イエロー色の画像を形成する画像形成部１Ｙと、マゼンタ色の画像を形成する画像形成部１Ｍと、シアン色の画像を形成する画像形成部１Ｃと、ブラック色の画像を形成する画像形成部１Ｂｋの４つの画像形成部を備えている。
【００１５】
中間転写ベルト８の下方には、レーザースキャナユニット７が配置されており、各色の感光体２ａ（イエロー）、２ｂ（マゼンタ）、２ｃ（シアン）、２ｄ（ブラック）に各色の画像データに基づいて変調されたレーザ光を照射する。レーザ光の照射前には、それぞれ一次帯電器３ａ（イエロー）、３ｂ（マゼンタ）、３ｃ（シアン）、３ｄ（ブラック）にて、感光体２ａ、２ｂ、２ｃ、２ｄの全面を帯電させた状態にしている。
【００１６】
現像器４ａ、４ｂ、４ｃ、４ｄは、レーザースキャナユニット７によりレーザ光を照射された各色の感光体に各色のトナーを静電的に付着させる。各色の感光体に付着したトナーは、中間転写ベルト８に転写され、ベルトは図中Ａの方向に進行し、転写された各色のトナー像は、二次転写ローラ１２にて、記録紙Ｐへと再度転写される。
【００１７】
さらにその下方に給紙ユニット１７、手差しマルチトレイ２０を配置し、記録紙Ｐの搬送パス１８、搬送ローラ１９、二次転写ローラ１２を縦に配置し、その上方に定着器１６を備えている。
【００１８】
定着器１６は、内部にヒータパターンを印刷したセラミック基板などの熱源を有する定着フィルム１６ａと前記基板に前記フィルムをはさんで加圧される加圧ローラ１６ｂから構成される。
【００１９】
さらに、定着器１６の下流側には定着排紙ローラ２１、及び光沢付与装置５５が配置されている。記録紙Ｐの表裏面に画像を形成する場合には、定着排紙ローラ２１を逆回転することにより、片面の画像形成及び定着が終了した記録紙Ｐを両面搬送路２３へと搬送し、記録紙Ｐの裏面に再度画像形成を行うべく二次転写ローラ１２の方向へ再給紙する。
【００２０】
なお、記録紙センサ２４は、給紙ユニット１７や手差しマルチトレイ２０から給紙される記録紙Ｐ、及び両面搬送路２３から再給紙される記録紙Ｐを検知するためのセンサである。
【００２１】
光沢付与装置５５は、記録紙Ｐの任意の領域を再加熱して光沢を付与する装置である。光沢付与装置５５により記録紙Ｐへの光沢の付与が完了した後、記録紙Ｐは光沢付与装置５５から排紙トレイ２２へと排紙される。
【００２２】
図２は、光沢付与装置５５の断面図である。
【００２３】
定着排紙ローラ２１は、定着器１６の下流にあり、定着器１６から排出された記録紙Ｐを光沢付与装置５５へと搬送する。定着排紙センサ２０８は、定着器１６と定着排紙ローラ２１の間に配置されており、定着器１６から排出された記録紙Ｐの先端及び後端を検知し、定着器１６内に記録紙Ｐが滞留していないことを監視する。
【００２４】
光沢付与装置５５には、サーマルヘッド２０１が記録紙Ｐの搬送方向に直交する幅方向に長手となるよう設けられている。図３に示されるように、サーマルヘッド２０１の先端Ｈにはｎ個の発熱部（Ｈ１、Ｈ２、・・・、Ｈｎ）が設けられている。発熱部（Ｈ１、Ｈ２、・・・、Ｈｎ）は、３００ｄｐｉの間隔で記録紙Ｐの幅の分だけ、およそ５０００個並べられている。
【００２５】
有限長のフィルム２０２は、送り出しローラ２０４から送り出され、巻取りローラ２０５により巻き取られる構成になっている。サーマルヘッド２０１に対向する対向ローラ２０３は、記録紙Ｐの搬送を行う。分離板２０６は、フィルム２０２と記録紙Ｐとを分離する機能を持つ。
【００２６】
定着排紙ローラ２１から矢印方向に搬送されてきた記録紙Ｐは、フィルム２０２と対向ローラ２０３により形成されるニップ部を通過する。このとき、サーマルヘッドがオンされた領域のみ記録紙Ｐ上のトナー像が再加熱され、光沢が付与された画像が形成される。再加熱された記録紙Ｐは、フィルム２０２と共に左方向に送り出される。記録紙Ｐは分離板２０６によりフィルム２０２と分離され、フィルム２０２が巻取りローラ２０５に巻き取られる一方、記録紙Ｐのみが光沢付与装置５５から排出される。
【００２７】
図４は、サーマルヘッド２０１の電気構成を示すブロック図である。
【００２８】
シフトレジスタ４０１は、後述するＣＰＵ５０２からＣＬＫ信号に同期して順次入力されたＤＡＴＡ信号を１ライン分記憶する。ラッチレジスタ４０２は、ＬＡＴ信号のタイミングでシフトレジスタ４０１のデータをラッチする。ここで、ラッチされたデータがサーマルヘッド２０１を駆動する駆動信号となる。
【００２９】
ゲート回路４０３は、ＳＴＢ信号がＨｉｇｈの時にラッチレジスタ４０２にラッチされている駆動信号を出力する。ドライバ素子４０４は、サーマルヘッド２０１を駆動する素子であり、Ｈｉｇｈが入力されたときにサーマルヘッド２０１がオンされる。抵抗ヒータ４０５は、サーマルヘッド２０１のｎ個の発熱部（Ｈ１、Ｈ２、・・・、Ｈｎ）に対応して設けられた、ｎ個の抵抗（Ｒ１、Ｒ２、・・・、Ｒｎ）から構成される。
【００３０】
図５は、画像形成装置１００及び光沢付与装置５５の制御ブロック図である。
【００３１】
制御部５０１は、ＣＰＵ５０２、ＲＯＭ５０３、及びＲＡＭ５０４を有する。ＣＰＵ５０２は、画像形成装置１００全体を制御する制御回路である。ＲＯＭ５０３には、画像形成装置１００で実行する各種処理を制御するための制御プログラムが格納されている。ＲＡＭ５０４は、ＣＰＵ５０２が動作するためのシステムワークメモリであり、また画像データを一時記憶するための画像メモリとしても機能する。
【００３２】
ＣＰＵ５０２は、外部のスキャナ、ＰＣ、及びＦＡＸ等の外部装置３００から画像データを受信し、画像形成装置１００の内部に設けられた各種センサ類５０７の出力に応じて、各種モータ類５０６を制御して記録紙Ｐへの画像形成動作を行う。また、ユーザは、操作部５０５上の入力キーを用いて、操作部５０５に設けられた表示部の表示の切り替えをＣＰＵ５０２に指示することができる。
【００３３】
図６は、光沢付与領域設定画面を示す図である。
【００３４】
操作部５０５に設けられた表示部は、外部から受信した画像データに基づきこれから出力する画像６００を表示する。ユーザは、画像６００における光沢付与領域６０５（斜線部分）を、操作部５０５から指定する。具体的には、ユーザは、光沢付与領域６０５の２点の角Ａ及びＢの座標を、座標入力部６０１〜６０４から入力することにより、光沢を付与する領域を入力する。
【００３５】
なお、ここでは操作部５０５から光沢付与領域６０５を指定することとしたが、この構成に限られない。例えば、ユーザがスキャナ、ＰＣ、及びＦＡＸ等の外部装置３００から光沢付与領域６０５を入力し、入力された光沢付与領域６０５を示すデータを画像形成装置１へと送信するようにしてもよい。
【００３６】
図７は、光沢付与領域とサーマルヘッドの駆動パターンとの関係を示す図である。
【００３７】
記録紙Ｐに対して、領域Ａ１にトナー像が存在し、この領域Ａ１が光沢付与領域として設定されているものとする。通常は、この領域Ａ１に光沢を与えるようにサーマルヘッド２０１の駆動パターンを決定すればよいが、定着器１６を通過した記録紙Ｐの収縮による画像の位置ずれ等を考慮する必要がある。
【００３８】
すなわち、記録紙Ｐは、定着器１６からの加熱により収縮し、Ａ３サイズの普通紙の場合は最大で２．１ｍｍの画像の位置変動が生じることは前述したとおりである。また、記録紙Ｐの搬送ばらつきによる画像の位置ずれが最大で１ｍｍ弱発生するとすると、この１ｍｍ弱のずれに前述の２．１ｍｍのずれを合算した約３ｍｍの画像の位置ずれが最大で発生することになる。
【００３９】
そこで、本実施形態では、トナー像領域の外側３ｍｍまで光沢付与領域を拡大することで、記録紙Ｐの収縮などによる画像の位置ずれが発生しても、トナー像領域全体に光沢を付与できるようにする。図７に示されるように、領域Ａ１にトナー像が存在し、この領域Ａ１に光沢を付与する設定がされている場合、領域Ａ１の所定量（３ｍｍ）外側の領域まで光沢付与領域を拡大する。
【００４０】
図８は、記録紙への光沢付与動作を示すフローチャートである。
【００４１】
このフローチャートを実行するためのプログラムは、ＲＯＭ５０３に記憶されており、ＣＰＵ５０２により読み出されることにより実行される。
【００４２】
まず、ＣＰＵ５０２は、スキャナ、ＰＣ、及びＦＡＸ等の外部装置３００からから送信された画像データを受信することにより、画像データを取得する（Ｓ８０１）。次に、ＣＰＵ５０２は、図６の光沢付与領域設定画面からユーザにより入力された光沢付与領域データを取得する（Ｓ８０２）。そして、ＣＰＵ５０２は、受信した画像データからトナー像領域を認識し、当該トナー像領域の所定量（３ｍｍ）外部まで光沢付与領域が存在するかどうかを判断する（Ｓ８０３）。
【００４３】
トナー像領域の所定量（３ｍｍ）外部まで光沢付与領域が存在しない場合は、ＣＰＵ５０２は、光沢付与領域をトナー像領域の所定量（３ｍｍ）外部まで拡大するように、光沢付与領域データを補正する（Ｓ８０４）。一方、ステップＳ８０３で、トナー像領域の所定量（３ｍｍ）外部まで光沢付与領域が存在する場合は、光沢付与領域を補正する必要は無いので、ステップＳ８０４の処理を行わずにステップＳ８０５へと進む。
【００４４】
次に、ＣＰＵ５０２は、記録紙Ｐの給紙を開始し（Ｓ８０５）、中間転写ベルト８から記録紙Ｐへのトナー像の転写、及び定着器１６による記録紙Ｐ上のトナー像の定着を行う（Ｓ８０６）。そして、ＣＰＵ５０２は、光沢付与領域データを、図４に示されるＤＡＴＡ信号としてシフトレジスタ４０１に入力し、サーマルヘッド２０１を駆動して記録紙Ｐを加熱する（Ｓ８０７）。その後、記録紙Ｐを排紙トレイ２２へ排紙する（Ｓ８０８）。
【００４５】
以上の制御を行うことにより、定着器１６を通過して収縮等してトナー像の位置がずれた記録紙Ｐであっても、記録紙Ｐ上のトナー像領域に適切に光沢付与ができる。
【００４６】
（第２の実施形態）
図９は、第２の実施形態として、非光沢付与領域設定画面を示す図である。
【００４７】
第１の実施形態では、ユーザが光沢付与領域のみを入力した場合について説明したが、第２の実施形態では、光沢付与領域だけでなく、光沢を付与しない非光沢付与領域についてもユーザが入力した場合についての制御を示す。
【００４８】
本実施形態では、ユーザが図６の光沢付与領域の設定を行い、ＯＫキーを押下すると、操作部５０５に設けられた表示部は、図９の非光沢付与領域設定画面を表示する。そして、ユーザは、画像６００における非光沢付与領域９０５（網点部分）を、操作部５０５から指定する。具体的には、ユーザは、非光沢付与領域９０５の２点の角Ａ及びＢの座標を、座標入力部９０１〜９０４から入力することにより、光沢を付与しない領域を入力する。
【００４９】
例えば、１ページに写真画像とテキスト画像の両方が混在する画像データの場合、写真画像領域については光沢を付与し、テキスト画像領域については光沢を付与したくないとユーザが望む場合がある。仮に、写真画像領域の近くにテキスト画像領域が存在する場合、光沢付与領域を拡大すると、テキスト画像領域の一部に光沢を付与してしまう可能性がある。
【００５０】
そこで、本実施形態では、例えば、写真画像領域に光沢付与の設定をし、写真画像領域に隣接する位置に光沢を付与しないテキスト画像領域が存在するような場合には、テキスト画像領域にまで光沢付与領域を拡大しないようにする。
【００５１】
図１０は、光沢を付与するトナー像領域と光沢を付与しないトナー像領域とが隣接している場合のサーマルヘッドの駆動パターンを示す図である。
【００５２】
記録紙Ｐに対して、領域Ａ１及びＡ２のトナー像領域が光沢付与領域として設定されている一方、領域Ｂ１及びＢ２のトナー像領域は非光沢付与領域として設定されているものとする。また、領域Ａ１と領域Ｂ１との間の距離は前述の所定量（３ｍｍ）以上であり、領域Ａ２と領域Ｂ２との間の距離は所定量（３ｍｍ）未満であるものとする。なお、非光沢付与領域については、前述したように、操作部５０５からのユーザの入力により設定される。
【００５３】
この場合、領域Ａ１と領域Ｂ１との間の距離は所定量（３ｍｍ）以上であることから、第１の実施形態と同様に、ＣＰＵ５０２は、領域Ａ１のトナー像領域の所定量（３ｍｍ）外部まで光沢付与領域を拡大するように、光沢付与領域データを補正する。
【００５４】
一方、領域Ａ２と領域Ｂ２との間の距離は所定量（３ｍｍ）に満たないことから、領域Ａ２のトナー像領域の所定量（３ｍｍ）外部まで光沢付与領域を拡大すると、光沢を付与しない領域Ｂ２にまで光沢を付与することになってしまう。
【００５５】
そこで、ＣＰＵ５０２は、領域Ａ２における領域Ｂ２に隣接しない側の端部については、前述と同様に領域Ａ２のトナー像領域の所定量（３ｍｍ）外部まで光沢付与領域を拡大する。一方、ＣＰＵ５０２は、領域Ａ２における領域Ｂ２に隣接する側の端部については、光沢付与領域を拡大しないようにする。
【００５６】
この構成により、非光沢付与領域に対して、サーマルヘッド２０１による再加熱を行わないように、サーマルヘッド２０１の駆動パターンを設定することで、不必要な光沢付与を防止することができる。
【００５７】
なお、本実施形態では、操作部５０５から非光沢付与領域９０５を指定することとしたが、この構成に限られない。例えば、ユーザがスキャナ、ＰＣ、及びＦＡＸ等の外部装置３００から非光沢付与領域９０５を入力し、入力された非光沢付与領域９０５を示すデータを画像形成装置１００が受信して設定するようにしてもよい。
【００５８】
（第３の実施形態）
図１１は、第３の実施形態として、光沢付与領域を拡大するかどうかの設定画面を示す図である。
【００５９】
第２の実施形態では、非光沢付与領域の座標をユーザが入力するようにしたものであるが、第３の実施形態では、ユーザが光沢付与領域を拡大しない辺のみを入力するようにし、ユーザの入力の手間を省いたものである。
【００６０】
本実施形態では、ユーザが図６の光沢付与領域の設定を行い、ＯＫキーを押下すると、操作部５０５に設けられた表示部は、図１１の光沢付与領域を拡大するかどうかの設定画面を表示する。ユーザは、図６の画面で設定した画像６００における光沢付与領域６０５（斜線部分）のうち、上辺、下辺、左辺、及び右辺のそれぞれについて、光沢付与領域を拡大するかどうかについて、拡大可否入力部１１０１〜１１０４から入力する。
【００６１】
例えば、写真画像領域に光沢付与の設定をし、写真画像領域の右側に隣接する位置に光沢を付与しないテキスト画像領域が存在するような場合には、図１１に示されるように、ユーザは光沢付与領域６０５の右辺について「拡大しない」を選択する。これによって、光沢付与領域を拡大したとしても、ユーザが光沢の付与を望まないテキスト画像領域には光沢を付与しないようにできる。
【００６２】
なお、ここでの操作部５０５からの設定は、ユーザがスキャナ、ＰＣ、及びＦＡＸ等の外部装置３００から行い、入力された設定内容を示すデータを画像形成装置１００へと送信するようにしてもよい。
【００６３】
本実施形態によれば、第２の実施形態のように非光沢付与領域の座標を入力するのではなく、光沢付与領域を拡大しない辺を入力するだけでよいので、ユーザの入力の手間を省くことができる。
【００６４】
なお、以上の説明では光沢付与手段としてサーマルヘッドを例に挙げて説明したが、光沢付与領域に透明トナー画像を形成することで記録紙Ｐの一部に光沢を付与する構成に適用してもよい。この場合、ＣＰＵ５０２により、記録紙上のトナー像領域の所定量外側まで光沢付与領域を拡大すべく、透明トナーの画像を形成する領域を補正すればよい。
【００６５】
また、上記の本実施形態では、画像形成装置１００としてタンデム型のカラー画像形成装置を一例として示したが、電子写真方式の画像形成装置であれば、この構成に限られるものではない。
【符号の説明】
【００６６】
１２  二次転写ローラ（転写手段に対応）
１６  定着器（定着手段に対応）
１７  給紙ユニット（給紙手段に対応）
２０  マルチトレイ（給紙手段に対応）
５５  光沢付与装置
１００  画像形成装置
２０１  サーマルヘッド（光沢付与手段に対応）
５０２  ＣＰＵ（補正手段に対応）
５０５  操作部（設定手段に対応）
【図１】
2011123436.tif 000003
【図２】
2011123436.tif 000004
【図３】
2011123436.tif 000005
【図４】
2011123436.tif 000006
【図５】
2011123436.tif 000007
【図６】
2011123436.tif 000008
【図７】
2011123436.tif 000009
【図８】
2011123436.tif 000010
【図９】
2011123436.tif 000011
【図１０】
2011123436.tif 000012
【図１１】
2011123436.tif 000013